(57)【要約】【課題】外部装置との連携処理において、物理的な動作と類似した操作感を提供することが可能な情報処理装置およびプログラムを提供する。【解決手段】画像形成装置１０を、タブレットが接続されるタブレットＩ／Ｆ部Ａ２６ａおよびタブレットＩ／Ｆ部Ｂ２６ｂと、タブレットが各タブレットＩ／Ｆ部２６のいずれかに接続された場合に行われる、タブレットとの間で情報の送信および受信の少なくとも一方を伴う予め定められた処理を示す処理情報と、各タブレットＩ／Ｆ部２６のいずれかを特定する特定情報とが対応付けられて予め記憶されたＲＯＭ１４と、タブレットがタブレットＩ／Ｆ部のいずれかに接続された場合に、ＲＯＭ１４の記憶内容に基づいて、前記予め定められた処理を特定するＣＰＵ１２とを含んで構成した。【選択図】図３
2014096751.tif 000002
【特許請求の範囲】
【請求項１】
各々外部装置が接続される複数の接続手段と、
前記複数の接続手段の各々について、接続された外部装置との間で実行する送信及び受信の少なくとも一方を伴いかつ外部装置が接続された場合に実行する処理を示す処理情報と、接続手段を識別する識別情報とを対応させて記憶した記億手段と、
前記外部装置が前記複数の接続手段のいずれかに接続された場合に、外部装置が接続された接続手段を特定すると共に、前記記憶手段に記憶された記憶内容に基づいて、前記特定された接続手段に外部装置が接続された場合に実行する処理を特定する特定手段と、
を含む情報処理装置。
【請求項２】
原稿を読み取る読取部に原稿を送り出す送出部、画像情報を記憶した記憶部、及び前記画像情報に応じた画像が記録された記録媒体を排出する排出部を含み、
前記接続手段を、前記送出部及び前記排出部の各々に対応させて設け、
前記送出部に対応させて設けた接続手段に画像情報が記憶された外部装置が接続された場合に実行する処理を、外部装置に記憶された画像情報を読み取って前記記憶部に記憶する処理とし、
前記排出部に対応させて設けた接続手段に外部装置が接続された場合に実行する処理を、接続された外部装置に前記記憶部に記憶された画像情報を転送する処理とした
請求項１記載の情報処理装置。
【請求項３】
前記接続手段が、非接触通信の送信部および受信部の少なくとも一方を含み、
前記外部装置との接続が、非接触通信によってなされる
請求項１または請求項２記載の情報処理装置。
【請求項４】
前記非接触通信が近距離無線通信である
請求項３記載の情報処理装置。
【請求項５】
コンピュータを、
外部装置が複数の接続手段のいずれかに接続された場合に、外部装置が接続された接続手段を特定すると共に、前記複数の接続手段の各々について、接続された外部装置との間で実行する送信及び受信の少なくとも一方を伴いかつ外部装置が接続された場合に実行する処理を示す処理情報と、接続手段を識別する識別情報とを対応させて記憶した記億手段に記憶された記憶内容に基づいて、前記特定された接続手段に外部装置が接続された場合に実行する処理を特定する特定手段と、
前記特定手段により特定された処理を実行する実行手段と、
として機能させるためのプログラム。
【発明の詳細な説明】
【技術分野】
【０００１】
本発明は、情報処理装置およびプログラムに関する。
【背景技術】
【０００２】
特許文献１には、相互に非接触で通信可能な携帯端末と画像処理装置とを備えた画像処理システムであって、前記携帯端末は、表示手段と、該表示手段に何が表示されているかを示す表示情報を非接触通信により送信する送信手段と、を備え、前記画像処理装置は、前記携帯端末から送信されてきた表示情報を非接触通信により受信する受信手段と、前記表示情報と画像処理装置が実行すべき動作とを予め対応付けて記憶する記憶手段と、前記記憶手段に記憶された表示情報及び実行すべき動作と、前記受信手段により受信された表示情報とに基づいて、受信された表示情報に対応する実行すべき動作を決定し、該動作を実行するように画像処理装置を制御する制御手段と、を備えたことを特徴とする画像処理システムが開示されている。
【０００３】
また、特許文献２には、端末装置とデータ通信する赤外線通信機能を備えたファクシミリ装置であって、前記データのデータ種別に対応した実行タスクに関わるタスク制御プログラムを記憶したタスク記憶手段と、前記赤外線通信機能を通じて前記端末装置からデータを受信すると、このデータのデータ種別を判別するデータ判別手段と、前記データ判別手段にて前記赤外線通信機能を通じて受信したデータのデータ種別を判別すると、このデータ種別に対応したタスク制御プログラムを前記タスク記憶手段から読み出し、このタスク制御プログラムに基づき、実行タスクに関わる制御動作を実行するタスク制御手段とを有することを特徴とするファクシミリ装置が開示されている。
【０００４】
また、特許文献３には、画像処理を行う画像処理装置と、該画像処理装置と無線通信ネットワークで接続され、情報を表示する携帯可能な表示装置と、を備えた表示処理システムにおいて、前記画像処理装置は、少なくともプリンタ部またはスキャナ部を含む構成部と、前記構成部の近傍に設けられ、前記構成部の動作状態を検知する状態検知手段と、前記構成部に関する情報である関連情報と、前記動作状態と、前記関連情報の識別情報である関連識別情報とを対応付けた対応付情報と、を記憶する記憶手段と、利用者が所持する情報記憶媒体から利用者に固有のユーザ識別情報を受信し、受信した前記ユーザ識別情報を前記表示装置に送信し、さらに、前記ユーザ識別情報の認証が成功した旨を、前記表示装置から受信する第１の送受信手段と、前記第１の送受信手段によって前記画像処理装置から送信された前記ユーザ識別情報の認証が成功した旨を受信した場合、前記記憶手段から、前記構成部に対応した前記関連識別情報が示す前記関連情報と前記動作状態とを取得する取得手段と、を備え、前記第１の送受信手段は、さらに、前記取得手段により取得した前記関連情報と前記動作状態とを前記表示装置に送信し、前記表示装置は、情報の表示が可能な表示部と、前記ユーザ識別情報を記憶する識別情報記憶手段と、前記画像処理装置から送信された前記ユーザ識別情報が前記識別情報記憶手段に記憶されているか否かの認証を行う認証手段と、前記認証手段によって前記ユーザ識別情報の認証が成功した場合、その旨を前記画像処理装置に送信し、さらに、前記関連情報と前記動作状態とを前記画像処理装置から受信する第２の送受信手段と、前記第２の送受信手段によって受信した前記関連情報と前記動作状態とを、前記表示部に表示する制御を行う表示制御手段と、を備えたこと、を特徴とする表示処理システムが開示されている。
【０００５】
また、特許文献４には、携帯型の記録媒体から情報を読み取る情報読取装置と接続するインタフェースを備えており、１つまたは複数の処理内容を、それぞれに所定の情報の読取回数と対応付けて記憶する、処理内容記憶手段と、前記記録媒体に記録されている前記所定の情報をユーザが前記情報読取装置に連続的に読み取らせた読取回数をカウントする読取回数カウント手段と、カウントされた読取回数に対応する前記処理内容記憶手段に記憶されている前記処理内容の処理の実行が開始されるように制御処理を行う処理実行制御手段と、を有することを特徴とする処理装置が開示されている。
【０００６】
さらに、特許文献５には、データを記憶する記憶部を有するデータ記憶装置と、該データ記憶装置とデータを送受信し、データに対して行う処理の選択を受付け、選択された処理をデータに対して行うデータ処理装置とを備えるデータ処理システムにおいて、前記データ処理装置は、前記データ記憶装置の動作状態又は前記記憶部の使用状態を判別する判別手段と、該判別手段が判別した動作状態又は使用状態に基づいて、データに対して行う処理を仮選択する仮選択手段とを備え、データに対して行う処理の選択を受付けていない場合、仮選択した処理に関係する処理を行うように構成してあることを特徴とするデータ処理システムが開示されている。
【先行技術文献】
【特許文献】
【０００７】
【特許文献１】特開２０１０−１９９６４２号公報
【特許文献２】特開２００６−３４０３０８号公報
【特許文献３】特開２００８−２３６２５４号公報
【特許文献４】特開２００７−１５６７４５号公報
【特許文献５】特開２００６−０７２５３７号公報
【発明の概要】
【発明が解決しようとする課題】
【０００８】
本発明は、外部装置との連携処理において、物理的な動作と類似した操作感を提供することが可能な情報処理装置およびプログラムを提供することを目的とする。
【課題を解決するための手段】
【０００９】
上記目的を達成するために、請求項１記載の情報処理装置は、各々外部装置が接続される複数の接続手段と、前記複数の接続手段の各々について、接続された外部装置との間で実行する送信及び受信の少なくとも一方を伴いかつ外部装置が接続された場合に実行する処理を示す処理情報と、接続手段を識別する識別情報とを対応させて記憶した記億手段と、前記外部装置が前記複数の接続手段のいずれかに接続された場合に、外部装置が接続された接続手段を特定すると共に、前記記憶手段に記憶された記憶内容に基づいて、前記特定された接続手段に外部装置が接続された場合に実行する処理を特定する特定手段と、
を含むものである。
【００１０】
また、請求項２記載の発明は、請求項１記載の発明において、原稿を読み取る読取部に原稿を送り出す送出部、画像情報を記憶した記憶部、及び前記画像情報に応じた画像が記録された記録媒体を排出する排出部を含み、前記接続手段を、前記送出部及び前記排出部の各々に対応させて設け、前記送出部に対応させて設けた接続手段に画像情報が記憶された外部装置が接続された場合に実行する処理を、外部装置に記憶された画像情報を読み取って前記記憶部に記憶する処理とし、前記排出部に対応させて設けた接続手段に外部装置が接続された場合に実行する処理を、接続された外部装置に前記記憶部に記憶された画像情報を転送する処理としたものである。
【００１１】
また、請求項３記載の発明は、請求項１または請求項２記載の発明において、前記接続手段が、非接触通信の送信部および受信部の少なくとも一方を含み、前記外部装置との接続が、非接触通信によってなされるものである。
【００１２】
さらに、請求項４記載の発明は、請求項３記載の発明において、前記非接触通信が近距離無線通信であるものである。
【００１３】
一方、上記目的を達成するために、請求項５に記載のプログラムは、コンピュータを、外部装置が複数の接続手段のいずれかに接続された場合に、外部装置が接続された接続手段を特定すると共に、前記複数の接続手段の各々について、接続された外部装置との間で実行する送信及び受信の少なくとも一方を伴いかつ外部装置が接続された場合に実行する処理を示す処理情報と、接続手段を識別する識別情報とを対応させて記憶した記億手段に記憶された記憶内容に基づいて、前記特定された接続手段に外部装置が接続された場合に実行する処理を特定する特定手段と、前記特定手段により特定された処理を実行する実行手段と、として機能させるためのものである。
【発明の効果】
【００１４】
請求項１および請求項５に記載の発明によれば、本発明を適用しない場合に比較して、外部装置との連携処理を、物理的な動作と類似した操作感を提供することができるという効果が得られる。
【００１５】
また、請求項２に記載の発明によれば、本発明を適用しない場合に比較して、より直感的な操作で、外部装置との連携処理を立ち上げることができるという効果が得られる。
【００１６】
また、請求項３に記載の発明によれば、接続手段が、非接触通信の送信部および受信部の少なくとも一方を含まない場合に比較して、より簡易に、外部装置との連携処理を立ち上げることができるという効果が得られる。
【００１７】
さらに、請求項４に記載の発明によれば、接続手段が、近距離無線通信の送信部および受信部の少なくとも一方を含まない場合に比較して、より確実に、外部装置との連携処理を立ち上げることができるという効果が得られる。
【図面の簡単な説明】
【００１８】
【図１】実施の形態に係る画像形成装置およびタブレットの概観の一例を示す斜視図である。
【図２】実施の形態に係るタブレットの表示画面の構成の一例を示す平面図である。
【図３】実施の形態に係る画像形成装置の電気的な構成を示すブロック図である。
【図４】実施の形態に係るタブレットの電気的な構成を示すブロック図である。
【図５】第１の実施の形態に係る画像形成装置とタブレットとの接続形態の一例を示す斜視図である。
【図６】第１の実施の形態に係る画像形成装置とタブレットとの接続形態の他の一例を示す斜視図である。
【図７】第１の実施の形態に係る連携処理実行プログラムの処理の流れを示すフローチャートの一部である。
【図８】第１の実施の形態に係る連携処理実行プログラムの処理の流れを示すフローチャートの一部である。
【図９】第１の実施の形態に係る対応テーブルの構成を示す模式図である。
【図１０】第１の実施の形態に係る画像形成装置のコントロールパネル部の画像データ受信画面の一例を示す模式図である。
【図１１】第１の実施の形態に係る画像形成装置のコントロールパネル部のスキャン処理実行画面の一例を示す模式図である。
【図１２】第１の実施の形態に係るタブレットのパネル部の画像データ送受信画面の一例を示す模式図である。
【図１３】第１の実施の形態に係る画像形成装置およびタブレットの別の例を示す斜視図である。
【図１４】第２の実施の形態に係る情報処理システムの全体的な構成を示す構成図である。
【発明を実施するための形態】
【００１９】
以下、図面を参照して本発明の実施の形態について詳細に説明する。
なお、ここでは、本発明を、複数の機能（例えば、複写機能、ファクシミリ機能、画像読取機能および文書蓄積機能等）を備えた画像形成装置に適用した場合について説明する。また、ここでは、本発明が対象とする外部装置として、主として、携帯型端末装置、すなわち、例えば、情報処理機能、入力機能、表示機能、および通信機能等を有する可搬型の電子装置を想定している。そのような携帯型端末装置としては、携帯電話、ＰＤＡ（Ｐｅｒｓｏｎａｌ  Ｄｉｇｉｔａｌ  Ａｓｓｉｓｔａｎｔ：携帯情報端末）、スマートフォン、タブレット、タブレットＰＣ（Ｐｅｒｓｏｎａｌ  Ｃｏｍｐｕｔｅｒ）等が挙げられる。ここでは、本実施の形態が対象とする外部装置としてタブレットに適用した実施の形態について説明する。
タブレットとは、板状の筐体にコンピュータ本体による処理機能と、入力装置としてのタッチパネルおよびいくつかの操作ボタン、さらに表示装置としてのディスプレイや音声出力装置としてのスピーカなどを備えた携帯型端末装置である。
【００２０】
［第１の実施の形態］
図１（ａ）には、本実施の形態に係る画像形成装置１０の概観が示されている。
画像形成装置１０は、画像データに基づいて画像を記録媒体（記録紙等）に形成する画像出力機能すなわちプリント機能を有するプリンタ部２０の他に、画像入力機能を有するスキャナ部１８、自動原稿送り装置１８０、および排出部２００を含んで構成されている。
【００２１】
スキャナ部１８は、原稿等をスキャンして読み取る部位である。
スキャナ部１８には、スキャン対象とする原稿１８４をセットする原稿送り台１８２が備えられ、当該原稿送り台１８２にセットされた複数枚の原稿１８４は、自動的に原稿を送る機能を有する自動原稿送り装置１８０によって１枚ずつ定速度で原稿画像を読み取る読取機構（図示省略）へ搬送される。
【００２２】
プリンタ部２０は、画像を形成する画像形成ユニット（図示省略）を含んで構成されている。そして、画像データ等に基づく画像を給紙手段から供給される記録紙２０２に記録し、文書等として排出部２００に排出する。
なお、画像形成ユニットの画像形成方式は、インクジェット方式や電子写真方式などであってもよい。
【００２３】
画像形成装置１０は、さらに、コントロールパネル部２２０、キー入力部２２２、タブレットＩ／Ｆ（インタフェース）部Ａ２６ａ、およびタブレットＩ／Ｆ部Ｂ２６ｂを含んで構成されている。
【００２４】
コントロールパネル部２２０はタッチパネルディスプレイを含んで構成され、当該タッチパネルディスプレイは、画像形成装置１０への入力指示や各種情報の入力を受け付ける操作領域と、各種情報を表示する表示領域とを含んで構成されている。
キー入力部２２２は、テンキー、スタートキー、およびストップキー等を含む各種キースイッチを含んで構成されているが、当該キー入力部２２２は、コントロールパネル部２２０の操作領域に含めることにより省略してもよい。
【００２５】
また、タブレットＩ／Ｆ部Ａ２６ａおよびタブレットＩ／Ｆ部Ｂ２６ｂ（以下、各タブレットＩ／Ｆ部を区別しない場合には、単に「タブレットＩ／Ｆ部２６」という。）は、タブレット５０とコネクタを介して有線接続するためのインタフェースである。
タブレットＩ／Ｆ部２６にはコネクタが設けられるとともに、タブレットＩ／Ｆ部２６に相対した状態でタブレット５０を搭載する形態とされており、該コネクタとタブレット５０の機器Ｉ／Ｆ部６２のコネクタ同士を結合させて、タブレット５０との間での制御情報やデータの送信・受信あるいはタブレット５０の充電を行うように構成されている。
【００２６】
なお、タブレットＩ／Ｆ部２６におけるインタフェースは、コネクタ等を用いた有線インタフェースに限られず、Ｗｉ−Ｆｉ（登録商標）、Ｂｌｕｅｔｏｏｔｈ（登録商標）、ＮＦＣ（Ｎｅａｒ  Ｆｉｅｌｄ  Ｃｏｍｍｕｎｉｃａｔｉｏｎ）等の無線通信によるインタフェースであってもよい。
【００２７】
図１（ｂ）には、本実施の形態に係るタブレット５０の概観が示されている。タブレット５０の前面は、表示部５８０および操作部５８２を含んで構成されたタッチパネルディスプレイであるパネル部５８となっている（図２も参照）。
【００２８】
図２に、タブレット５０のパネル部５８における表示画面の一例を示す。図２（ａ）は、ボタンの形式で示された操作部５８２とともに、表示部５８０に文書データが表示されている状態を示している。一方、図２（ｂ）は、ボタンの形式で示された操作部５８２とともに、表示部５８０にタブレット５０に格納された文書データの一覧が表示された状態を示している。表示部５８０における各文書データの選択領域を指先等によって接触（タッチ）することにより、いずれかの文書が選択される。
【００２９】
また、タブレット５０は、機器Ｉ／Ｆ部６２を有している。機器Ｉ／Ｆ部６２は、画像形成装置１０のタブレットＩ／Ｆ部２６に対応するＩ／Ｆ部であり、タブレットＩ／Ｆ部２６の各コネクタに対応するコネクタを有している。従って、タブレット５０をタブレットＩ／Ｆ部２６に接続することにより、画像形成装置１０との間での制御情報やデータ等の送信・受信あるいはタブレット５０の充電等が行われる。
【００３０】
次に、図３を用いて、本実施の形態に係る画像形成装置１０の電気系の要部構成を説明する。
同図に示されるように、画像形成装置１０は、ＣＰＵ（中央処理装置）１２、ＲＯＭ１４、ＲＡＭ１６、記憶部２４、ＵＩ部２２、スキャナ部１８、およびプリンタ部２０を含んで構成されている。
【００３１】
ＣＰＵ１２は、画像形成装置１０を統括して制御し、例えば、スキャナ部１８やプリンタ部２０等の制御を実行する。
ＲＯＭ１４は、ＣＰＵ１２の各種制御プログラムなどの動作プログラムや各種制御データ等を格納するメモリである。
ＲＡＭ１６は、ＣＰＵ１２が動作プログラムに従って動作する際の作業領域等を確保するためのメモリである。
【００３２】
記憶部２４は、画像データ等を格納するものであり、例えば、ハードディスクドライブなどから構成されている。
ＵＩ部２２は、コントロールパネル部２２０およびキー入力部２２２を含んで構成され（図１も参照）ており、ユーザによる各種操作の受付やユーザに対するメッセージの表示等を行うものである。
【００３３】
スキャナ部１８は、図示しない読取機構により原稿１８４を読み取って画像データを生成し、該画像データを記憶部２４等に格納する。読取機構は、自動原稿送り装置１８０によって原稿台（図示省略）に送られてきた原稿、あるいはユーザによって原稿台上に直接セットされた原稿をＣＣＤ（Ｃｈａｒｇｅ  Ｃｏｕｐｌｅｄ  Ｄｅｖｉｃｅ）等の撮像素子によりスキャンして読み取り画像データを生成する。この生成された画像データは、ＣＰＵ１２の制御によって、記憶部２４あるいはＲＡＭ１６に送信され、格納される。
【００３４】
また、プリンタ部２０は、記憶部２４やＲＡＭ１６等に格納されている画像データ等に基づいて画像を形成し、文書等として出力する。従って、スキャナ部１８で読み取られた原稿１８４の画像データや、タブレット５０等から送信された画像データを一旦記憶部２４あるいはＲＡＭ１６に蓄積し、該蓄積データに基づき文書等として出力するようにしてもよい。
【００３５】
画像形成装置１０は、さらに、ネットワーク通信Ｉ／Ｆ部３０、タブレットＩ／Ｆ部Ａ２６ａ、およびタブレットＩ／Ｆ部Ｂ２６ｂを含んで構成されている。
【００３６】
ネットワーク通信Ｉ／Ｆ部３０は、通信網に接続するためのインタフェースであり、ここでいう通信網には、一般公衆回線などの通信回線やインターネット等を含む。ネットワーク通信Ｉ／Ｆ部３０により、画像形成装置１０を通信網上の外部記憶装置などの外部機器に接続することにより、該外部機器との間で画像データ等の送信・受信等が行われる。  また、ネットワーク通信Ｉ／Ｆ部３０と、タブレット５０のネットワーク通信Ｉ／Ｆ部６６（図４参照）とを通信網を介して接続することにより、画像形成装置１０とタブレット５０との間で相互に画像データ等の送信・受信等が行われる。
【００３７】
なお、上記の各構成要素は、制御バスＢＵＳ１を介して相互に接続されており、ＣＰＵ１２は、制御バスＢＵＳ１を介して各部の制御ないし各部との間での各種データの送信・受信を行う。
【００３８】
次に、図４を用いて、本実施の形態に係るタブレット５０の電気系の要部構成を説明する。
同図に示されるように、タブレット５０は、ＣＰＵ５２、ＲＯＭ５４、ＲＡＭ５６、記憶部６０、およびパネル部５８を含んで構成されている。
【００３９】
ＣＰＵ５２は、タブレット５０の全体の動作を統括して制御し、例えば各種アプリケーションソフトウエアの実行や各種インタフェースの制御などを実行する。
ＲＯＭ５４は、ＢＩＯＳ（Ｂａｓｉｃ  Ｉｎｐｕｔ  Ｏｕｔｐｕｔ  Ｓｙｓｔｅｍ）、オペレーティングシステム等の、ＣＰＵ５２の動作プログラム等を格納するメモリである。
ＲＡＭ５６は、ＣＰＵ５２が動作プログラムに従って動作する際の作業領域等を確保するためのメモリである。
【００４０】
記憶部６０は、各種のアプリケーションソフトウエア、ドキュメントデータ、メールアドレス等の設定情報、その他の各種データを記憶するものである。記憶部６０は、例えば、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ハードディスクドライブ等の書き換え可能な記憶素子により構成されている。
【００４１】
パネル部５８は、画面に指先や尖筆などで直接触れることにより、タブレット５０の操作が行えるタッチパネルディスプレイを含んで構成されている。該タッチパネルディスプレイは、液晶ディスプレイにタッチ操作検出用のセンサなどが統合された構成となっており、該センサに画面に接触した指先や尖筆の位置を感知させて、タブレット５０に指示を与える。
また、パネル部５８は表示部５８０および操作部５８２を含んで構成されており、表示部５８０は、タブレット５０において起動されたアプリケーションソフトウエアに従う表示画面や、各種のデータ、メッセージなどを表示する。また、操作部５８２は、動作選択用のキーなどを有しており、タブレット５０に対する各種の入力操作に用いられる。
【００４２】
タブレット５０は、さらに、ネットワーク通信Ｉ／Ｆ部６６、および機器Ｉ／Ｆ部６２を含んで構成されている。
【００４３】
ネットワーク通信Ｉ／Ｆ部６６は無線通信の送信部および受信部を含んで構成され、無線通信によって通信網上の外部機器に接続するためや、通信網を介して画像形成装置１０に接続するためのインタフェースである。
【００４４】
なお、上記の各構成要素は、制御バスＢＵＳ２を介して相互に接続されており、ＣＰＵ５２は、制御バスＢＵＳ２を介して各部の制御ないし各部との間での各種データの送信・受信を行う。
【００４５】
次に、本実施の形態に係る画像形成装置１０の作用について説明する。本実施の形態は、画像形成装置１０のインタフェースにタブレット５０のインタフェースを有線または無線の通信により接続し、相互が連携して実行する処理（以下、「連携処理」という。）を実行する場合において、ユーザの意図する連携処理を迅速に立ち上げるようにした形態例である。
【００４６】
本実施の形態では、タブレット５０を画像形成装置１０に接続する場合の接続形態を複数用意し、各接続形態をユーザが意図する連携処理と対応付けておく。そして、ユーザが接続形態を選択する場合に、各接続形態がユーザの意図する連携処理を直感的に想起させるようにする。ここでは、本実施の形態に係る画像形成装置１０とタブレット５０との連携処理として、プリント処理を伴う処理およびスキャン処理を伴う処理を例示して説明する。
【００４７】
本実施の形態においては、タブレット５０の画像形成装置１０への接続形態として、タブレット５０が画像形成装置１０のタブレットＩ／Ｆ部Ａ２６ａに接続される形態（以下、「接続形態Ａ」という。）、およびタブレットＩ／Ｆ部Ｂ２６ｂに接続される形態（以下、「接続形態Ｂ」という。）の２形態を用意している。
【００４８】
そして、タブレットＩ／Ｆ部Ａ２６ａは、画像形成装置１０の意匠上、画像形成装置１０の自動原稿送り装置１８０の近くに、紙の原稿１８４をセットすべき個所と同様にタブレット５０をセットするとタブレット５０の機器Ｉ／Ｆ部６２と接続できるように配置されている。これは、タブレット５０を紙媒体と見立てた場合、つまり、タブレット５０の記憶部６０に格納されている画像データを原稿と見立てた場合に、外部からの画像データの取得に引き続き、当該画像データによる画像形成を実行するという処理の直観的なイメージをユーザに連想させることを意図している。かかる連想によって、ユーザがタブレット５０の記憶部６０に格納されている画像データをプリントするという連携処理を意図していた場合に、ユーザが特に当該連携処理の選択を意識することなく、タブレット５０をタブレットＩ／Ｆ部Ａ２６ａに接続するだけで、画像形成装置１０のプリント処理が選択される。
【００４９】
一方、タブレットＩ／Ｆ部Ｂ２６ｂは画像形成装置１０の排出部２００に、記録紙２０２が排出される個所と同様の位置にタブレット５０をセットするとタブレット５０の機器Ｉ／Ｆ部６２と接続できるように配置されている。これは、タブレット５０を紙媒体と見立てた場合、つまり、記憶部２４に格納された画像データをプリントして排出する記録紙と見立てた場合に、記憶部２４に格納されている画像データをタブレット５０に転送するという処理の直観的なイメージをユーザに連想させることを意図している。かかる連想によって、ユーザが、記憶部２４に格納された画像データを、タブレット５０の記憶部６０に転送するという処理を意図していた場合に、ユーザが特に処理の選択を意識することなく、タブレット５０をタブレットＩ／Ｆ部Ｂ２６ｂに接続するだけで、画像形成装置１０からタブレット５０への画像データの転送処理が選択される。
【００５０】
この際、画像形成装置１０からタブレット５０に転送する画像データは、例えば、予め画像形成装置１０のスキャナ部１８によってスキャンされて記憶部２４に格納されている画像データであってもよい。また、予めＰＣ等からプリント操作により送信して記憶部２４に格納されている画像データであってもよい。
【００５１】
なお、タブレットＩ／Ｆ部Ａ２６ａおよびタブレットＩ／Ｆ部Ｂ２６ｂは、必ずしも、各々自動原稿送り装置１８０の近くに原稿１８４をセットすべき個所と同じように、あるいは排出部２００の近くに記録紙２０２が排出される個所と同じように配置する必要はない。つまり、タブレットＩ／Ｆ部Ａ２６ａおよびタブレットＩ／Ｆ部Ｂ２６ｂの相対的な位置関係において、それぞれ自動原稿送り装置１８０あるいは排出部２００を想起させる位置であればよい。例えば、タブレットＩ／Ｆ部Ａ２６ａは自動原稿送り装置１８０により近い位置に、タブレットＩ／Ｆ部Ｂ２６ｂは、排出部２００により近い位置に配置されている場合である。
【００５２】
図５は、ユーザがプリント処理を意図し接続形態Ａを選択した状態、すなわちタブレット５０をタブレットＩ／Ｆ部Ａ２６ａに接続した状態を示している。また、図６は、ユーザが画像データの転送処理を意図し接続形態Ｂを選択した状態、すなわちタブレット５０をタブレットＩ／Ｆ部Ｂ２６ｂに接続した状態を示している。
【００５３】
図７は、図５または図６に示された状態において画像形成装置１０のＣＰＵ１２によって実行される、ユーザの意図する連携処理を特定する連携処理実行プログラムの処理の流れを示すフローチャートを示している。また、図８は、かかる状態においてタブレット５０のＣＰＵ５２によって実行される、ユーザの意図する連携処理を特定する連携処理実行プログラムの処理の流れを示すフローチャートを示している。なお、連携処理実行プログラムは、画像形成装置１０とタブレット５０との連携した動作によって実行される。
【００５４】
ところで、本実施の形態に係る画像形成装置１０およびタブレット５０によって実行される、上述した各処理は、プログラムを実行することによる、コンピュータを利用してのソフトウエア構成により実現してもよい。また、ソフトウエア構成による実現に限らず、例えばＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）を採用したハードウエア構成や、ハードウエア構成とソフトウエア構成の組み合わせによって実現してもよい。
【００５５】
以下では、本実施の形態に係る画像形成装置１０およびタブレット５０が、上記各プログラムを実行することにより各種処理を実現する場合について説明する。この場合、当該プログラムをＲＯＭ１４内、あるいはＲＯＭ５４内に予めインストールしておく形態や、コンピュータにより読み取り可能な記憶媒体に記憶された状態で提供される形態、有線または無線による通信手段を介して配信される形態等を適用してもよい。
【００５６】
まず、図７を参照して、本実施の形態に係る画像形成装置１０によって実行される連携処理実行プログラムの処理の流れを説明する。なお、図７は、タブレットＩ／Ｆ部Ａ２６ａおよびタブレットＩ／Ｆ部Ｂ２６ｂのいずれかに、タブレット５０が接続された場合に、画像形成装置１０のＣＰＵ１２により実行される連携処理実行プログラムである。従って、ここでは、タブレット５０がタブレットＩ／Ｆ部Ａ２６ａおよびタブレットＩ／Ｆ部Ｂ２６ｂのいずれかに接続されたことを、画像形成装置１０のＣＰＵ１２が既に検知しているものとする。
【００５７】
ここで、上記連携処理に対応して、接続形態Ａを選択しようとする場合には、ユーザは、タブレット５０の画像閲覧アプリケーションソフトウエアを作動させて、プリントを意図する画像データをパネル部５８に表示させているものとする。また、ユーザが接続形態Ｂを選択しようとする場合には、ユーザは、スキャンしたい原稿を自動原稿送り装置１８０にセットしているものとする。
【００５８】
まず、ステップＳ１００では、接続形態、すなわちタブレット５０が接続形態Ａで接続されたのか否かを判定する。
この接続形態の判定は、例えば、各タブレットＩ／Ｆ部２６のポート番号（または、ポートアドレス）によって行えばよい。本実施の形態では、このポート番号が画像形成装置１０とタブレット５０との連携処理に対応付けられている。図９に、かかるポート番号と接続形態と連携処理との対応関係を示す対応テーブルの一例を示す。また、同図では、画像データの転送方向がデータとして対応付けられている。本対応テーブルは、例えば、画像形成装置１０のＲＯＭ１４に記憶されている。
【００５９】
画像形成装置１０のＣＰＵ１２は、図９に示す対応テーブルを参照し、タブレットＩ／Ｆ部２６のポート番号と接続形態の対応を確認し、接続形態を判定する。
ステップＳ１００で接続形態Ａによって接続されたと判定すると（ステップＳ１００で肯定判定）、次にステップＳ１０２で、接続形態Ａで接続されたことを通知する通知情報（以下、「Ａ通知情報」という。）をタブレット５０に対して送信する。
【００６０】
接続形態Ａによって接続された場合の連係処理は、タブレット５０から画像データを画像形成装置１０に送信し、該画像データを受信した画像形成装置１０が該画像データをプリントする処理なので、次のステップＳ１０４で画像データの受信待ち状態となる。この際、ユーザに対し画像形成装置１０のコントロールパネル部２２０に、画像データの受信待ちであることを示すメッセージを表示してもよい。図１０（ａ）に当該表示の一例を示す。図１０（ａ）では、一例として、「画像データの受信待ちです・・・」というメッセージを表示している。
【００６１】
ステップＳ１０４で画像データを受信すると、次のステップＳ１０６で受信した画像データを記憶部２４に格納する。
次のステップＳ１０８で、プリントボタンの指定待ち状態となる。この際、ユーザに対し、プリントボタンの指定を促すメッセージをコントロールパネル部２２０に表示してもよい。図１０（ｂ）に、かかる表示の一例を示す。同図では、「画像データを受信しました。プリントボタンを押してください。」のメッセージが、プリントボタンとともに表示されている。
【００６２】
ユーザによってプリントボタンが指定されると、次のステップ１１０でタブレット５０から送信され、記憶部２４に格納されている画像データにより示される画像を記録紙２０２に形成し、排出部２００より排出するようにプリンタ部２０を制御する。
【００６３】
次のステップＳ１１２では、本連携処理実行プログラムを終了するタイミングが到来したか否かを判定し、否定判定となった場合は上記ステップＳ１００に戻る一方、肯定判定となった時点で本連携処理実行プログラムを終了する。
なお、本実施の形態に係る連携処理実行プログラムでは、上記連携処理実行プログラムを終了するタイミングとして、例えば、タブレット５０がタブレットＩ／Ｆ部Ａ２６ａから引き抜かれたタイミングを適用してもよいし、不図示の電源スイッチがオフ状態とされたタイミング等を適用してもよい。
【００６４】
一方、ステップＳ１００で否定判定されると、タブレット５０が接続形態Ｂで接続されたとみなしてステップＳ１１４に移行し、接続形態Ｂで接続されたことを通知する通知情報（以下、「Ｂ通知情報」という。）をタブレット５０に対して送信する。
接続形態Ｂによって接続された場合の連係処理は、画像形成装置１０の記憶部２４に格納されている画像データをタブレット５０に転送し、記憶部６０に格納する処理である。本実施の形態では、転送する画像データをスキャンによって取得する形態としているので、次のステップＳ１１６で、スキャンボタンの指定待ち状態となる。
図１１に、この際のコントロールパネル部２２０の表示画面の一例を示している。同図では、「スキャンボタンを押してください。」のメッセージが、スキャンボタンとともに表示されている。
【００６５】
ステップ１１６でスキャンボタンが指定されると、次のステップＳ１１８でスキャンを実行した後、次のステップＳ１２０で画像データを取得し、次のステップＳ１２２で取得した画像データを記憶部２４に格納する。
次のステップＳ１２４では、スキャンした画像データをタブレット５０に送信する。
【００６６】
そして、次のステップＳ１１２で、本連携処理実行プログラムを終了するタイミングが到来したか否かを判定し、否定判定となった場合は上記ステップＳ１００に戻る一方、肯定判定となった時点で本連携処理実行プログラムを終了する。
なお、本実施の形態に係る連携処理実行プログラムでは、上記連携処理実行プログラムを終了するタイミングとして、例えば、タブレット５０がタブレットＩ／Ｆ部Ｂ２６ｂから引き抜かれたタイミングを適用してもよいし、不図示の電源スイッチがオフ状態とされたタイミング等を適用してもよい。
【００６７】
次に、図８を参照して、タブレット５０における連携処理実行プログラムの処理の流れを説明する。なお、図８は、タブレットＩ／Ｆ部Ａ２６ａおよびタブレットＩ／Ｆ部Ｂ２６ｂのいずれかに、タブレット５０が接続された場合に、タブレット５０のＣＰＵ５２により実行される連携処理実行プログラムである。
【００６８】
まず、ステップＳ２００で、タブレット５０が接続形態Ａで接続されたのか、接続形態Ｂで接続されたのかを示す通知情報が受信されるまで待機する。
ステップＳ２００で通知情報を受信すると、次のステップＳ２０２で、当該通知が接続形態Ａを示すものなの否かを判定する。
タブレット５０は、接続形態が接続形態Ａであるか接続形態Ｂであるかに応じてその後の連携処理を決定するが、その際の決定方法として、図９と同様のテーブルをＲＯＭ５４等に格納しておいてもよい。
【００６９】
ステップＳ２０２でＡ通知情報を受信すると（ステップＳ２０２で肯定判定）、次のステップＳ２０４で、あらかじめタブレット５０に格納された画像データの中から選択され、パネル部５８に図２（ａ）に示すように表示されている画像データを送信する。図１２（ａ）に、この際のタブレット５０のパネル部５８の表示画面の一例を示す。同図では、送信される画像データおよび「画像データを送信中．．．」のメッセージが表示されている。このとき、当該画像データが画像形成装置１０に送信されるのに従い、表示されている画像がタブレット５０の機器Ｉ／Ｆ部６２のコネクタの方向に向けて移動するようなアニメーション表示を行ってもよい。
【００７０】
そして、次のステップＳ２０６で、本連携処理実行プログラムを終了するタイミングが到来したか否かを判定し、否定判定となった場合は上記ステップＳ２００に戻る一方、肯定判定となった時点で本連携処理実行プログラムを終了する。
なお、本実施の形態に係る連携処理実行プログラムでは、上記連携処理実行プログラムを終了するタイミングとして、例えば、タブレット５０がタブレットＩ／Ｆ部Ａ２６ａから引き抜かれたタイミングを適用してもよい。
【００７１】
一方、ステップＳ２０２で否定判定されると、Ｂ通知情報を受信したとみなして、次のステップＳ２０８に移行し、画像形成装置１０によってスキャンされた画像データの受信待ち状態となる。図１２（ｂ）に、この際のパネル部５８の表示画面の一例を示す。同図では、「画像データの受信待ち．．．」のメッセージが表示されている。
【００７２】
ステップＳ２０８で画像データを受信すると、次のステップＳ２１０で当該受信した画像データを記憶部６０に格納する。図１２（ｃ）に、この際のパネル部５８の表示画面の一例を示す。同図では、「画像データを受信中．．．」のメッセージが、受信中の画像とともに表示されている。このとき、当該画像データを画像形成装置１０から受信するのに従い、受信している画像がタブレット５０の機器Ｉ／Ｆ部６２のコネクタの方向から移動するようなアニメーション表示を行ってもよい。受信した画像データは、例えば受信した日時に基づく名前が自動的に付与されたうえで、記憶部６０に格納される。
【００７３】
そして、次のステップＳ２０６で、本連携処理実行プログラムを終了するタイミングが到来したか否かを判定し、否定判定となった場合は上記ステップＳ２００に戻る一方、肯定判定となった時点で本連携処理実行プログラムを終了する。
なお、本実施の形態に係る連携処理実行プログラムでは、上記連携処理実行プログラムを終了するタイミングとして、例えば、タブレット５０がタブレットＩ／Ｆ部Ｂ２６ｂから引き抜かれたタイミングを適用してもよい。
【００７４】
以上の説明で明らかなように、本実施の形態によれば、ユーザの意図する外部装置との連携処理が迅速に立ち上げられる。
【００７５】
なお、本実施の形態では、画像形成装置１０とタブレット５０の接続形態の例として、有線のドッキングステーション接続用インタフェースを用いる形態を例示して説明したが、本発明はこれに限定されるものではない。例えば、ＮＦＣ、ＦｅｌｉＣａ（フェリカ）（登録商標）等の近距離無線通信（「近接無線通信」あるいは「非接触無線通信」ともいう。）を用いる形態としてもよい。
【００７６】
近距離無線通信とは、無線通信の送信部・受信部を含むインタフェースを各々内蔵する機器同士を近接させ、専用のアプリケーションソフトウエアを起動させることにより、データ通信等の双方向通信を行う通信技術である。従って、近距離無線通信インタフェース同士を無線によって論理的に接続することにより、相互にデータ等の送信・受信が行われる。なお、論理的な接続とは、双方の機器が双方向に通信可能な状態にあることを認識している状態をいう。従って、本発明における接続形態には、有線による接続のみならず、無線による接続も含む。
【００７７】
この場合、図１３に示すように、図１（ａ）に示す画像形成装置１０のタブレットＩ／Ｆ部Ａ２６ａ、およびタブレットＩ／Ｆ部Ｂ２６ｂの代わりに、２つの近距離無線通信Ｉ／Ｆ部Ａ２８ａ、および近距離無線通信Ｉ／Ｆ部Ｂ２８ｂを搭載する。また、近距離無線通信Ｉ／Ｆ部Ａ２８ａおよび近距離無線通信Ｉ／Ｆ部Ｂ２８ｂを搭載する画像形成装置１０の位置は、例えば、それぞれ図１（ａ）に示すタブレットＩ／Ｆ部２６ａおよびタブレットＩ／Ｆ部２６ｂの位置と同様の位置とすればよい。
【００７８】
また、タブレット５０でも、機器Ｉ／Ｆ部６２の代わりに、近距離無線通信Ｉ／Ｆ部Ａ２８ａあるいは近距離無線通信Ｉ／Ｆ部Ｂ２８ｂに対応する近距離無線Ｉ／Ｆ部６４を搭載しておく。
そして、近距離無線通信Ｉ／Ｆ部Ａ２８ａおよび近距離無線通信Ｉ／Ｆ部Ｂ２８ｂのいずれかを選択し、該選択した近距離無線通信Ｉ／Ｆ部にタブレット５０の近距離無線Ｉ／Ｆ部６４が接近するようにタブレット５０を配置することにより、接続形態を選択する。  この際適用する連携処理実行プログラムは、図７および図８と同様とすればよい。
【００７９】
また、本実施の形態では、連携処理実行プログラムの実行に際し、図１０ないし図１２に示すようなユーザに対する確認画面を、逐一表示する形態例について説明したが、本発明はこれに限定されるものではない。
例えば図１０における画像形成装置１０のコントロールパネル部２２０の確認画面を省略し、例えば、画像形成装置１０が画像データを受信した時点でプリント処理を実行してもよいし、図１１のコントロールパネル部２２０の確認画面を省略して、例えば、Ｂ通知情報を送信した時点でスキャンを実行してもよい。
【００８０】
また、例えば、Ａ通知情報を受信した時点で、図１２（ａ）のタブレット５０のパネル部５８に確認画面を表示し、ユーザが送信を指示してから、タブレット５０のパネル部５８に表示されている画像データを画像形成装置１０に送信してもよいし、図１２（ｂ）および図１２（ｃ）において、例えば、画像データを受信した時点で確認画面を表示し、保存する画像データの名前をユーザが指定あるいは変更し、保存を指示した後に、画像データを記憶部６０に格納してもよい。
【００８１】
［第２の実施の形態］
＜第２の実施の形態（１）＞
本実施の形態は、本発明を、画像形成装置１０、タブレット５０、およびその他の機器を通信網の１種であるインターネット網３００で相互に接続して構成した情報処理システム９０に適用した形態である。
【００８２】
図１４に、本実施の形態に係る情報処理システム９０の構成の一例を示す。
情報処理システム９０は、画像形成装置１０、タブレット５０、アクセスポイント３０２、外部記憶装置３０４、およびインターネット網３００を含んで構成されている。
【００８３】
アクセスポイント３０２は、タブレット５０の無線通信の送信部・受信部を含むネットワーク通信Ｉ／Ｆ部６６と連携して、タブレット５０を無線通信ネットワークからインターネット網３００に接続する中継器である。
【００８４】
また、外部記憶装置３０４は、インターネット網３００上に接続された記憶装置であり、例えば、画像形成装置１０やタブレット５０から画像データ等を送信して格納したり、あるいは逆に、外部記憶装置３０４から画像データを画像形成装置１０や、タブレット５０にダウンロードしたりする装置である。外部記憶装置３０４は、インターネット網３００上に設けられたサーバに内蔵された記憶装置やインターネット上で提供されるストレージサービスなどであってもよい。
【００８５】
なお、本実施の形態における通信網はインターネット網３００に限られず、画像形成装置１０、タブレット５０、およびその他の機器を接続して構成されたＬＡＮ網等であってもよい。
【００８６】
次に、本実施の形態に係る情報処理システム９０の作用について説明する。本実施の形態における画像形成装置１０とタブレット５０との接続形態は、第１の実施の形態と同様、接続形態Ａおよび接続形態Ｂの２種であるとする。
【００８７】
まず、タブレット５０を画像形成装置１０にタブレットＩ／Ｆ部Ａ２６ａに接続した形態、すなわち接続形態Ａがなされた場合には、第１の実施の形態では、タブレット５０から画像データを画像形成装置１０に送信し、記憶部２４に格納した後、当該画像データに基づく画像をプリントした。それに対し、本実施の形態では、画像形成装置１０に送信されるべき画像データは外部記憶装置３０４に格納されているものとする。さらにユーザは、タブレット５０の画像閲覧アプリケーションソフトウエアを作動させて、外部記憶装置３０４に格納されている画像データのうち、プリントを意図する画像データをパネル部５８に表示させているものとする。このとき、表示する画像は画像データの識別あるいは概要の把握のみを目的とした縮小画像（いわゆるサムネール画像）であるものとしてもよい。タブレット５０がＡ通知情報を受信すると、タブレット５０は画像形成装置１０に、表示している画像データを外部記憶装置３０４より取得するのに必要となる画像データ識別情報、例えばＵＲＬ（Ｕｎｉｆｏｒｍ  Ｒｅｓｏｕｒｃｅ  Ｌｏｃａｔｏｒ）を送信する。その後、画像形成装置１０からインターネット網３００を介して外部記憶装置３０４にアクセスして、画像データを記憶部２４に転送し、当該画像データに基づく画像をプリントする。
【００８８】
一方、タブレット５０を、タブレットＩ／Ｆ部Ｂ２６ｂにより画像形成装置１０に接続した形態、すなわち接続形態Ｂがなされた場合には、第１の実施の形態ではスキャンされて一旦記憶部２４に格納された画像データをタブレット５０の記憶部６０に転送する形態であった。それに対し本実施の形態では、スキャンされて一旦記憶部２４に格納された画像データを外部記憶装置３０４に転送する。その後、必要に応じ、タブレット５０から外部記憶装置３０４にアクセスして、記憶部６０に転送してもよい。
【００８９】
以上のように、本実施の形態では画像形成装置１０の記憶部２４あるいはタブレット５０の記憶部６０の代替として外部記憶装置３０４を用い、画像形成装置１０とタブレット５０との間で画像データの送信・受信を行う代わりに、各々と外部記憶装置３０４との間で画像データの送信・受信を行う。従って、本実施の形態の連携処理実行プログラムは、図７のステップＳ１００以降の画像データの送信・受信、あるいは図８のステップＳ２０２以降の画像データの送信・受信が、インターネット網３００を介して外部記憶装置３０４との間でなされることになる。
【００９０】
以上のように、本実施の形態によっても、ユーザの意図する外部装置との連携処理が迅速に立ち上げられる。本実施の形態は、特に、画像形成装置１０の記憶部２４、あるいはタブレット５０の記憶部６０の記憶容量が限られている場合であっても適用される。
【００９１】
＜第２の実施の形態（２）＞
上記各実施の形態においては、画像形成装置１０とタブレット５０の接続と、画像データの送信・受信とを同じ接続手段で行う場合を例示して説明したが、本発明はこれに限定されるものではなく、両者間の接続と画像データ等の送信・受信とを別の接続手段を用いて実行してもよい。
【００９２】
例えば、タブレット５０において、機器Ｉ／Ｆ部６２の代わりにセンサを備えておき、画像形成装置１０において、タブレットＩ／Ｆ部２６の代わりに、該センサで検知される接続形態に対応して区別された信号を発生させるようにしておき、タブレット５０が該信号を検知したことをもって、接続形態の認識を行うようにする。そして、その後の画像データの送信・受信は、画像形成装置１０のネットワーク通信Ｉ／Ｆ部３０、およびタブレット５０のネットワーク通信Ｉ／Ｆ部６６によりインターネット網３００を介して行うようにしてもよい。
この場合、接続がなされたことの通知情報は、接続形態についての情報も含めて、タブレット５０からインターネット網３００を介して、画像形成装置１０に送信されることになる。
【００９３】
上記のセンサで検知する対象としては、赤外線、磁界、および音声などが考えられる。  赤外線の場合には、画像形成装置１０において、各接続形態に対応させて異なる符号で変調させた、あるいは波長を異ならせた赤外線を放射し、タブレット５０の赤外線式近接センサで各接続形態を検知するようにしてもよい。
また、磁界の場合には、画像形成装置１０において、各接続形態に対応させて異なる符号で変調させた磁界を発生させ、タブレット５０の地磁気（方位）センサで各接続形態を検知するようにしてもよい。
さらに、音声の場合には、画像形成装置１０において、各接続形態に対応させて異なる符号で変調させた可聴域内外の音声を発生させ、タブレット５０のマイクで各接続形態を検知するようにしてもよい。
【００９４】
また、画像形成装置１０における接続形態を記憶したＲＦＩＤ（Ｒａｄｉｏ  Ｆｒｅｑｕｅｎｃｙ  ＩＤｅｎｔｉｆｉｃａｔｉｏｎ）タグを画像形成装置１０のそれぞれの位置に設けておき、タブレット５０に備えた対応するリーダで当該接続形態を読み取り、接続形態を認識するようにしてもよい。また、画像形成装置１０における接続形態を埋め込んだ一次元バーコードやＱＲコード（登録商標）等のコードを画像形成装置１０のそれぞれの位置に設けておき、タブレット５０に備えた対応するリーダで当該接続形態を読み取り、接続形態を認識するようにしてもよい。
【００９５】
以上のように、本実施の形態によっても、ユーザの意図する外部装置との連携処理が迅速に立ち上げられる。本実施の形態では、画像形成装置１０とタブレット５０との間の画像データ等の送信・受信が、インターネット網３００やＬＡＮ網等の通信網を介して高速になされる。
【００９６】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００９７】
また、上記の実施の形態は、クレーム（請求項）に係る発明を限定するものではなく、また実施の形態の中で説明されている特徴の組み合わせの全てが発明の解決手段に必須であるとは限らない。前述した実施の形態には種々の段階の発明が含まれており、開示される複数の構成要件の組み合わせにより種々の発明が抽出される。実施の形態に示される全構成要件から幾つかの構成要件が削除されても、効果が得られる限りにおいて、この幾つかの構成要件が削除された構成が発明として抽出され得る。
【００９８】
例えば、上記の実施の形態では、自動原稿送り装置の近くにタブレットインタフェースを設ける接続形態Ａおよび排出部の近くにタブレットインタフェースを設ける接続形態Ｂの２つの接続形態を例示して説明したが、本発明はこれに限定されるものではなく、接続形態は３つ以上あってもよい。例えば、画像形成装置のコントロールパネル部（表示画面）の近くにタブレットインタフェースを設け、タブレットを当該タブレットインタフェースに接続した場合には、表示画面に連携処理のメニューを表示するようにしてもよい。
【００９９】
また、図９の対応テーブルにおいては、各々の接続形態に対して１つの連携処理を対応させる形態を例示して説明したが、本発明はこれに限定されるものではなく、各接続形態に複数の連携処理を対応させてもよい。例えば、接続形態Ａに対して、画像データのプリントの他に画像データのＦＡＸ（ファクシミリ）送信等を、接続形態Ｂに対してスキャンした画像データの転送の他に、ＦＡＸ受信した文書データの転送等を対応させてもよい。  この場合、例えば、図７のフローチャートのステップＳ１００とステップＳ１０２との間、およびステップＳ１００とステップＳ１１４との間に、連携処理の選択処理を設ける。その際、画像形成装置１０のコントロールパネル部２２０に選択を促す画面を表示するようにしてもよい。そして、ユーザによって選択された連携処理に応じて、当該選択された連携処理を示す情報をタブレット５０に送信し、その後の処理を実行してもよい。また、図８のフローチャートでは、ステップＳ２０２で、画像形成装置１０から送信された信号に基づいて選択された連携処理を判別し、当該判別結果に応じてその後の処理を実行してもよい。
【０１００】
また、上記実施の形態では、接続形態Ａで接続された場合には、タブレット５０から画像形成装置１０に画像データを転送してプリントし、接続形態Ｂで接続された場合には、画像形成装置１０でスキャンした画像データをタブレット５０に転送する形態を例示して説明した。しかしながら、本発明はこれらに限定されるものではなく、元々画像形成装置１０の記憶部２４に格納されていた画像データを、プリントあるいは転送する形態としてもよい。元々画像形成装置１０の記憶部２４に格納されていた画像データの例として、ＦＡＸ受信文書などが挙げられる。
この場合、例えば、タブレット５０のパネル部５８で画像形成装置１０の記憶部２４に格納されている画像データが閲覧、選択されるようにしておき、接続形態Ａで接続された場合には、例えば当該選択された画像データをプリントしてもよい。また、接続形態Ｂで接続された場合には、例えば当該選択された画像データをタブレット５０に転送してもよい。
【０１０１】
その他、上記実施の形態で説明した画像形成装置１０、およびタブレット５０の構成（図１ないし図４参照）は一例であり、本発明の主旨を逸脱しない範囲内において不要な部分を削除したり、新たな部分を追加したりしてもよい。
【０１０２】
さらに、上記実施の形態で説明した連携処理実行プログラムの処理の流れ（図７および図８参照）も一例であり、本発明の主旨を逸脱しない範囲内において不要なステップを削除したり、新たなステップを追加したり、処理順序を入れ替えたりしてもよい。
【符号の説明】
【０１０３】
１０    画像形成装置
１２    ＣＰＵ
１４    ＲＯＭ
１６    ＲＡＭ
１８    スキャナ部
２０    プリンタ部
２２    ＵＩ部
２４    記憶部
２６ａ  タブレットＩ／Ｆ部Ａ
２６ｂ  タブレットＩ／Ｆ部Ｂ
２８ａ  近距離無線通信Ｉ／Ｆ部Ａ
２８ｂ  近距離無線通信Ｉ／Ｆ部Ｂ
３０    ネットワーク通信Ｉ／Ｆ部
５０    タブレット
５２    ＣＰＵ
５４    ＲＯＭ
５６    ＲＡＭ
５８    パネル部
６０    記憶部
６２    機器Ｉ／Ｆ部
６４    近距離無線Ｉ／Ｆ部
６６    ネットワーク通信Ｉ／Ｆ部
９０    情報処理システム
１８０  自動原稿送り装置
１８２  原稿送り台
１８４  原稿
２００  排出部
２０２  記録紙
２２０  コントロールパネル部
２２２  キー入力部
３００  インターネット網
３０２  アクセスポイント
３０４  外部記憶装置
５８０  表示部
５８２  操作部
ＢＵＳ１    制御バス
ＢＵＳ２    制御バス
【図１】
2014096751.tif 000003
【図２】
2014096751.tif 000004
【図３】
2014096751.tif 000005
【図４】
2014096751.tif 000006
【図５】
2014096751.tif 000007
【図６】
2014096751.tif 000008
【図７】
2014096751.tif 000009
【図８】
2014096751.tif 000010
【図９】
2014096751.tif 000011
【図１０】
2014096751.tif 000012
【図１１】
2014096751.tif 000013
【図１２】
2014096751.tif 000014
【図１３】
2014096751.tif 000015
【図１４】
2014096751.tif 000016